(57)【要約】【課題】個人情報を取り扱う機能へのアクセスを防止する。【解決手段】機能に割り当てられるキーアサイン情報の変更を行うキーアサイン変更システムに、キーアサイン情報のキー入力を保持するキーアサインデータ保持部122と、キーアサイン情報のキー入力に対する機能の実行に必要とするパスワードを保持するパスワードデータ保持部121と、キーアサイン情報に対してパスワード変更の要否情報をON/OFFのフラグとして保持するパスワード変更フラグ保持部123と、入力したキー情報からキーアサイン情報、パスワード情報を識別するキー入力処理部111と、保持されたキーアサイン情報のキー入力をキー入力処理部からのキーアサイン情報のキー入力に変更するキーアサイン変更処理部113と、フラグがONでキーアサイン変更処理部がキーアサイン情報のキー入力を変更する場合パスワードの変更を要求するパスワード処理部112とを備える。【選択図】図１
2006323630.tif 000002
【特許請求の範囲】
【請求項１】
機能に割り当てられるキーアサイン情報の変更を行うキーアサイン変更システムにおいて、
個人情報を取り扱う前記機能に割り当てられる前記キーアサイン情報のキー入力を保持するキーアサインデータ保持部と、
前記キーアサインデータ保持部に保持されるキーアサイン情報のキー入力に対する機能の実行に必要とするパスワードを保持するパスワードデータ保持部と、
前記キーアサインデータ保持部に保持されるキーアサイン情報で、パスワード入力を必要とするキーアサイン情報に対してパスワード変更の要否情報をＯＮ／ＯＦＦのフラグとして入力し保持し、パスワード変更が必要でフラグがＯＮである場合にはキーアサイン情報のキー入力の変更時にパスワードの変更要求を行うためのパスワード変更フラグ保持部と、
キー情報を入力するキー入力部と、
前記キー入力部からキー情報を供給され、供給されたキー情報からキーアサイン情報、パスワード情報を識別するキー入力処理部と、
前記キーアサインデータ保持部の保持されているキーアサイン情報のキー入力を前記キー入力処理部からのキーアサイン情報のキー入力に変更するキーアサイン変更処理部と、
前記パスワード変更フラグ保持部がパスワード変更を必要とするＯＮのフラグを保持し、前記キーアサイン変更処理部がキーアサイン情報のキー入力を変更する場合にはパスワードの変更を要求するパスワード処理部とを備えることを特徴とするキーアサイン変更システム。
【請求項２】
前記パスワード処理部は、前記パスワード変更フラグ保持部がパスワード変更を不要とするＯＦＦのフラグを保持し、前記キーアサイン変更処理部がキーアサイン情報のキー入力を変更する場合にはパスワードの変更の要求を行わないことを特徴とする、請求項１に記載のキーアサイン変更システム。
【請求項３】
前記パスワード変更フラグ保持部は、パスワードの変更後、パスワードの変更に対して不要とするＯＦＦのフラグにし、ＯＦＦのフラグとしてから一定期間経過後にパスワードの変更に対してＯＮのフラグとしパスワードの変更を必要とさせることを特徴とする、請求項１に記載のキーアサイン変更システム。
【請求項４】
さらに、キーアサイン変更フラグ保持部を設け、前記キーアサイン変更フラグ保持部は、キーアサイン情報の入力キーの変更の要否情報をＯＮ／ＯＦＦのフラグを保持し、キーアサイン情報の入力キー変更後、キーアサイン情報の入力キーの変更に対して不要とするＯＦＦのフラグにし、ＯＦＦのフラグとしてから一定期間経過後にキーアサイン情報の入力キーの変更に対してＯＮのフラグとしキーアサイン情報の入力キーの変更を必要とさせることを特徴とする、請求項１に記載のキーアサイン変更システム。
【請求項５】
変更時のキーアサイン情報のキー入力に対しては、パスワードの変更時と同様に、「＊＊＊＊」のように表示し、エコーバックに対してキーアサイン情報のキー入力が第三者に見られないように表示されることを特徴とする、請求項１に記載のキーアサイン変更システム。
【請求項６】
機能に割り当てられるキーアサイン情報の変更を行うキーアサイン変更方法において、
個人情報を取り扱う前記機能に割り当てられる前記キーアサイン情報のキー入力を保持する工程と、
保持されるキーアサイン情報のキー入力に対する機能の実行に必要とするパスワードを保持する工程と、
保持されるキーアサイン情報で、パスワード入力を必要とするキーアサイン情報に対してパスワード変更の要否情報をＯＮ／ＯＦＦのフラグとして入力し保持し、パスワード変更が必要でフラグがＯＮである場合にはキーアサイン情報のキー入力の変更時にパスワードの変更要求を行う工程と、
キー情報を入力する工程と、
入力したキー情報からキーアサイン情報、パスワード情報を識別する工程と、
保持されているキーアサイン情報のキー入力を入力したキー情報から識別したキーアサイン情報のキー入力に変更する工程と、
パスワード変更を必要とするＯＮのフラグが保持され、キーアサイン情報のキー入力が変更される場合にはパスワードの変更を要求する工程とを備えることを特徴とするキーアサイン変更方法。
【請求項７】
機能に割り当てられるキーアサイン情報の変更を行うキーアサイン変更をコンピュータで実行するプログラムにおいて、
個人情報を取り扱う前記機能に割り当てられる前記キーアサイン情報のキー入力を保持する手順と、
保持されるキーアサイン情報のキー入力に対する機能の実行に必要とするパスワードを保持する手順と、
保持されるキーアサイン情報で、パスワード入力を必要とするキーアサイン情報に対してパスワード変更の要否情報をＯＮ／ＯＦＦのフラグとして入力し保持し、パスワード変更が必要でフラグがＯＮである場合にはキーアサイン情報のキー入力の変更時にパスワードの変更要求を行う手順と、
キー情報を入力する手順と、
入力したキー情報からキーアサイン情報、パスワード情報を識別する手順と、
保持されているキーアサイン情報のキー入力を入力したキー情報から識別したキーアサイン情報のキー入力に変更する手順と、
パスワード変更を必要とするＯＮのフラグが保持され、キーアサイン情報のキー入力が変更される場合にはパスワードの変更を要求する手順とを備えることを特徴とするキーアサイン変更をコンピュータで実行するプログラム。
【請求項８】
機能に割り当てられるキーアサイン情報の変更を行う携帯電話端末において、
個人情報を取り扱う前記機能に割り当てられる前記キーアサイン情報のキー入力を保持するキーアサインデータ保持部と、
前記キーアサインデータ保持部に保持されるキーアサイン情報のキー入力に対する機能の実行に必要とするパスワードを保持するパスワードデータ保持部と、
前記キーアサインデータ保持部に保持されるキーアサイン情報で、パスワード入力を必要とするキーアサイン情報に対してパスワード変更の要否情報をＯＮ／ＯＦＦのフラグとして入力し保持し、パスワード変更が必要でフラグがＯＮである場合にはキーアサイン情報のキー入力の変更時にパスワードの変更要求を行うためのパスワード変更フラグ保持部と、
キー情報を入力するキー入力部と、
前記キー入力部からキー情報を供給され、供給されたキー情報からキーアサイン情報、パスワード情報を識別するキー入力処理部と、
前記キーアサインデータ保持部の保持されているキーアサイン情報のキー入力を前記キー入力処理部からのキーアサイン情報のキー入力に変更するキーアサイン変更処理部と、
前記パスワード変更フラグ保持部がパスワード変更を必要とするＯＮのフラグを保持し、前記キーアサイン変更処理部がキーアサイン情報のキー入力を変更する場合にはパスワードの変更を要求するパスワード処理部とを備えることを特徴とする携帯電話端末。
【発明の詳細な説明】
【技術分野】
【０００１】
本発明はキーアサイン機能を具備する携帯電話端末に関する。特に、本発明は、携帯電話端末のキーアサイン変更システム、方法及びプログラムに関する。
【背景技術】
【０００２】
図５は本発明の前提となる携帯電話機のキーアサイン機能を説明する図である。本図に示すように、携帯電話機のキーアサイン機能では、キーアサイン情報のキー入力に対して各種機能が割り当てられている。キーアサイン機能では、キーアサイン情報のキー入力として、「Ｆ」で始まるキーアサイン情報のキー入力として、例えば、「Ｆ０」のキーアサイン情報のキー入力に対しては「自局電話番号表示」の機能が割り当てられ、「Ｆ××」のキーアサイン情報のキー入力に対しては「ダイヤル操作禁止」の機能が割り当てられ、「Ｆ△△」のキーアサイン情報のキー入力に対しては「シークレットメモリ」の機能が割り当てられ、「Ｆ△×」のキーアサイン情報のキー入力に対しては「パスワード変更」の機能が割り当てられ、「Ｆ×△」のキーアサイン情報のキー入力に対しては「転送電話設定」の機能が割り当てられる。
【０００３】
なお、キーアサイン機能中、キーアサイン情報のキー入力「Ｆ××」の「ダイヤル操作禁止」、キーアサイン情報のキー入力「Ｆ△△」の「シークレットメモリ」、キーアサイン情報のキー入力「Ｆ△×」の「パスワード変更」等の機能に対してはパスワードの入力が必要となる。個人情報を取り扱う機能であり第三者の不正使用を防止する必要があるためである。
図６は図５でパスワードの入力が必要となるキーアサイン機能の動作を説明する図である。本図に示すように、ステップ２０１において、携帯電話機のキー入力が行われる。
【０００４】
ステップ２０２において、携帯電話機にパスワード入力画面が表示され、パスワードの入力が行われる。なお、４桁のパスワードの入力時には表示画面には「＊＊＊＊」のように表示され、エコーバックに対してパスワードが第三者に見られないように表示される。
ステップ２０３において、パスワードの照合が行われ、一致しない場合には処理を終了する。
【０００５】
ステップ２０４において、パスワードの照合でパスワードが一致する場合には、キーアサイン情報のキー入力に対応する機能が実行され、処理を終了する。
例えば、キーアサイン情報のキー入力「Ｆ××」に対してパスワードの入力によりダイヤル操作禁止をＯＮ状態にすると、携帯電話機の操作が不可となり、ＯＦＦ状態にするとダイヤル操作禁止が解除される。
【０００６】
さらに、キーアサイン情報のキー入力「Ｆ△△」に対してパスワードの入力によりシークレットメモリをＯＦＦにするとシークレット登録した電話帳等の表示が禁止され、シークレットメモリをＯＮにすると電話帳等の表示禁止が解除される。
さらに、キーアサイン情報のキー入力「Ｆ△×」に対してパスワードの入力によりパスワード変更が可能になる。
【０００７】
このように、キーアサイン機能では、携帯電話機のキーアサイン情報のキー入力を種々の機能に割り当て、キーアサイン情報のキー入力により割り当てられた機能が実行される。
また、携帯電話機にはパスワードの照合（認証）機能が設けられ、パスワードの照合機能では、セキュリティ確保の観点から携帯電話機の第三者の不正操作を阻止している。さらに、キーアサイン機能では、キーアサイン情報のキー入力に対する機能に個人情報が取り扱われている場合には、セキュリティ確保の観点からキーアサイン情報のキー入力に対してパスワード照合機能の実行を可能にしてある
【０００８】
しかしながら、パスワードを何らかの理由で第三者に知られた場合、周囲に人が大勢いるなかで携帯電話機を使用する環境ではキー押下の順からパスワードを第三者に知られた場合、パスワードを変更する以外の方法しかない。パスワードをユーザが知らぬまに第三者に知られてしまった場合には、携帯電話機の充電中、机に置いたままにしたり、上着に携帯電話機を入れた後、脱いで置いたままにしたり、ユーザの体から携帯電話機が離れた場合、第三者の不正操作を阻止できないだけでなく、個人情報を取り扱う機能に対して、割り当てられるキーアサイン情報のキー入力が携帯電話機では一律のため、容易にアクセス可能になっているという問題があり、このアクセスを防止すべき課題がある。
【０００９】
さらに、従来の携帯電話機のキーアサイン機能では、機能に割り当てられるキーアサイン情報のキー入力は携帯電話機で一律であり、ユーザが覚え易く使用し易いキー入力の配置になっていないという問題があり、覚えやすい配置にすべきという課題がある。
このような問題に関連して以下の従来技術がある。
従来、日本語環境の携帯端末機器における簡便なパスワード入力システム、を提供するため、全角文字列をパスワードとして用い、全角文字列をパスワードに用いると、漢字、ひらがな等の使用が可能となり、このため、パスワードの選択幅が大幅に増加し、セキュリティ機能が向上し、また、全角文字列を用いることで、パスワード入力時に全角・半
角の変換が不要となり利便性が向上するものがある（例えば、特許文献１参照）。
【００１０】
しかしながら、上記特許文献１では、携帯端末機器で全角文字列をパスワードに用いるものであるが、パスワードが第三者に知られた場合に個人情報を取り扱う機能へのアクセスを防止するものではない。
また、従来、種々の端末局に適したコンテンツを再生するため、携帯電話機やパソコン等の様々な種類の各端末局のＰＰＴ送信部において、端末局自身の再生処理能力を表す情報を含む固有のＰＰＴを保有しておき、これを通信経路を通じて基地局に送信して、基地局から各ＰＰＴに適応したコンテンツをそれぞれ配信してもらい、または、基地局がコンテンツに併せてスクリプトを配信するようにし、端末局内で各スクリプトに従ってＰＰＴに応じたコンテンツを再生するものもある（例えば、特許文献２参照）。
【００１１】
しかしながら、上記特許文献２では、端末局自身の再生処理能力を表す情報を含む固有のＰＰＴを保有するが、前述のように、パスワードが第三者に知られた場合に個人情報を取り扱う機能へのアクセスを防止するものではない。
また、従来、効果音専用のキー操作でタイミングを失することなく効果音を鳴らすことができ、かつ、多数の種類の効果音の中から希望の音を選定する機能もあり、効果音データの追加や変更サービスにも適合できるようにするため、多数の種類の効果音データがそれぞれ区別して記憶部６に格納されており、主制御部は、効果音データの種類を特定する情報と発音指令とを受けて、該当する効果音データを再生してスピーカーから発生させ、リモコン送信器には効果音の発音指令を主制御部に与えるための複数個の効果音キーがあり、リモコン送信器からの発音指令を受け取ったとき、それが複数個の効果音キーのどれに対応した信号であるのかを認知し、また所定のキーアサイン情報に従って各効果音キーに割り当て登録されている効果音を鳴らし、キーアサイン情報は利用者が任意に書き換えられるものもある（例えば、特許文献３参照）。
【００１２】
しかしながら、上記特許文献３では、所定のキーアサイン情報に従って各効果音キーに割り当て登録されている効果音を鳴らし、キーアサイン情報は利用者が任意に書き換えられるものもあるが、前述のように、パスワードが第三者に知られた場合に個人情報を取り扱う機能へのアクセスを防止するものではない。
【００１３】
【特許文献１】特開２００２−７６９９号公報
【特許文献２】特開２００１−２１１４４３号公報
【特許文献３】特開平１０−７８７８３号公報
【発明の開示】
【発明が解決しようとする課題】
【００１４】
したがって、本発明は上記問題点に鑑みて、パスワードが第三者に知られた場合に個人情報を取り扱う機能へのアクセスを防止し、機能に割り当てられるキーアサイン情報のキー入力に対してユーザが覚え易く使用し易いキー入力の配置を可能とするキーアサイン変更システム、方法、プログラム及び携帯電話端末を提供することを目的とする。
【課題を解決するための手段】
【００１５】
本発明は前記問題点を解決するために、機能に割り当てられるキーアサイン情報の変更を行うキーアサイン変更システムにおいて、個人情報を取り扱う前記機能に割り当てられる前記キーアサイン情報のキー入力を保持するキーアサインデータ保持部と、前記キーアサインデータ保持部に保持されるキーアサイン情報のキー入力に対する機能の実行に必要とするパスワードを保持するパスワードデータ保持部と、前記キーアサインデータ保持部に保持されるキーアサイン情報で、パスワード入力を必要とするキーアサイン情報に対してパスワード変更の要否情報をＯＮ／ＯＦＦのフラグとして入力し保持し、パスワード変更が必要でフラグがＯＮである場合にはキーアサイン情報のキー入力の変更時にパスワードの変更要求を行うためのパスワード変更フラグ保持部と、キー情報を入力するキー入力部と、前記キー入力部からキー情報を供給され、供給されたキー情報からキーアサイン情報、パスワード情報を識別するキー入力処理部と、前記キーアサインデータ保持部の保持されているキーアサイン情報のキー入力を前記キー入力処理部からのキーアサイン情報のキー入力に変更するキーアサイン変更処理部と、前記パスワード変更フラグ保持部がパスワード変更を必要とするＯＮのフラグを保持し、前記キーアサイン変更処理部がキーアサイン情報のキー入力を変更する場合にはパスワードの変更を要求するパスワード処理部とを備えることを特徴とするキーアサイン変更システムを提供する。
【００１６】
さらに、前記パスワード処理部は、前記パスワード変更フラグ保持部がパスワード変更を不要とするＯＦＦのフラグを保持し、前記キーアサイン変更処理部がキーアサイン情報のキー入力を変更する場合にはパスワードの変更の要求を行わない。
さらに、前記パスワード変更フラグ保持部は、パスワードの変更後、パスワードの変更に対して不要とするＯＦＦのフラグにし、ＯＦＦのフラグとしてから一定期間経過後にパスワードの変更に対してＯＮのフラグとしパスワードの変更を必要とさせる。
【００１７】
さらに、キーアサイン変更フラグ保持部を設け、前記キーアサイン変更フラグ保持部は、キーアサイン情報の入力キーの変更の要否情報をＯＮ／ＯＦＦのフラグを保持し、キーアサイン情報の入力キー変更後、キーアサイン情報の入力キーの変更に対して不要とするＯＦＦのフラグにし、ＯＦＦのフラグとしてから一定期間経過後にキーアサイン情報の入力キーの変更に対してＯＮのフラグとしキーアサイン情報の入力キーの変更を必要とさせる。
【００１８】
さらに、変更時のキーアサイン情報のキー入力に対しては、パスワードの変更時と同様に、「＊＊＊＊」のように表示し、エコーバックに対してキーアサイン情報のキー入力が第三者に見られないように表示される。
さらに、本発明は、機能に割り当てられるキーアサイン情報の変更を行うキーアサイン変更方法において、個人情報を取り扱う前記機能に割り当てられる前記キーアサイン情報のキー入力を保持する工程と、保持されるキーアサイン情報のキー入力に対する機能の実行に必要とするパスワードを保持する工程と、保持されるキーアサイン情報で、パスワード入力を必要とするキーアサイン情報に対してパスワード変更の要否情報をＯＮ／ＯＦＦのフラグとして入力し保持し、パスワード変更が必要でフラグがＯＮである場合にはキーアサイン情報のキー入力の変更時にパスワードの変更要求を行う工程と、キー情報を入力する工程と、入力したキー情報からキーアサイン情報、パスワード情報を識別する工程と、保持されているキーアサイン情報のキー入力を入力したキー情報から識別したキーアサイン情報のキー入力に変更する工程と、パスワード変更を必要とするＯＮのフラグが保持され、キーアサイン情報のキー入力が変更される場合にはパスワードの変更を要求する工程とを備えることを特徴とするキーアサイン変更方法を提供する。
【００１９】
さらに、本発明は、機能に割り当てられるキーアサイン情報の変更を行うキーアサイン変更をコンピュータで実行するプログラムにおいて、個人情報を取り扱う前記機能に割り当てられる前記キーアサイン情報のキー入力を保持する手順と、保持されるキーアサイン情報のキー入力に対する機能の実行に必要とするパスワードを保持する手順と、保持されるキーアサイン情報で、パスワード入力を必要とするキーアサイン情報に対してパスワード変更の要否情報をＯＮ／ＯＦＦのフラグとして入力し保持し、パスワード変更が必要でフラグがＯＮである場合にはキーアサイン情報のキー入力の変更時にパスワードの変更要求を行う手順と、キー情報を入力する手順と、入力したキー情報からキーアサイン情報、パスワード情報を識別する手順と、保持されているキーアサイン情報のキー入力を入力したキー情報から識別したキーアサイン情報のキー入力に変更する手順と、パスワード変更を必要とするＯＮのフラグが保持され、キーアサイン情報のキー入力が変更される場合にはパスワードの変更を要求する手順とを備えることを特徴とするキーアサイン変更をコンピュータで実行するプログラムを提供する。
【００２０】
さらに、本発明は、機能に割り当てられるキーアサイン情報の変更を行う携帯電話端末において、個人情報を取り扱う前記機能に割り当てられる前記キーアサイン情報のキー入力を保持するキーアサインデータ保持部と、前記キーアサインデータ保持部に保持されるキーアサイン情報のキー入力に対する機能の実行に必要とするパスワードを保持するパスワードデータ保持部と、前記キーアサインデータ保持部に保持されるキーアサイン情報で、パスワード入力を必要とするキーアサイン情報に対してパスワード変更の要否情報をＯＮ／ＯＦＦのフラグとして入力し保持し、パスワード変更が必要でフラグがＯＮである場合にはキーアサイン情報のキー入力の変更時にパスワードの変更要求を行うためのパスワード変更フラグ保持部と、キー情報を入力するキー入力部と、前記キー入力部からキー情報を供給され、供給されたキー情報からキーアサイン情報、パスワード情報を識別するキー入力処理部と、前記キーアサインデータ保持部の保持されているキーアサイン情報のキー入力を前記キー入力処理部からのキーアサイン情報のキー入力に変更するキーアサイン変更処理部と、
【００２１】
前記パスワード変更フラグ保持部がパスワード変更を必要とするＯＮのフラグを保持し、前記キーアサイン変更処理部がキーアサイン情報のキー入力を変更する場合にはパスワードの変更を要求するパスワード処理部とを備えることを特徴とする携帯電話端末を提供する。
【発明の効果】
【００２２】
以上説明したように、本発明によれば、個人情報を取り扱う機能に割り当てられるキーアサイン情報のキー入力を保持し、保持されるキーアサイン情報のキー入力に対する機能の実行に必要とするパスワードを保持し、保持されるキーアサイン情報で、パスワード入力を必要とするキーアサイン情報に対してパスワード変更の要否情報をＯＮ／ＯＦＦのフラグとして入力し保持し、パスワード変更が必要でフラグがＯＮである場合にはキーアサイン情報のキー入力の変更時にパスワードの変更要求を行い、キー情報を入力し、入力したキー情報からキーアサイン情報、パスワード情報を識別し、保持されているキーアサイン情報のキー入力を入力したキー情報から識別したキーアサイン情報のキー入力に変更し、パスワード変更を必要とするＯＮのフラグが保持され、キーアサイン情報のキー入力が変更される場合にはパスワードの変更を要求するようにしたので、何らかの原因でパスワードを第三者に知られても、キーアサイン情報の入力キーが変更されており、通常のキーアサイン情報のキー入力とは異なっているので、個人情報を取り扱う携帯電話機の機能に容易にアクセスするのを防止することが可能になる。
【００２３】
この場合、キーアサイン情報の入力キーがユーザにより変更できるので、ユーザの覚えやすい入力キーを選択することが可能となる。
さらに、キーアサイン情報の入力キーの変更と連動してパスワードの変更を行うようにしてので、パスワードが知られる可能性が低下し、セキュリティが向上し、さらに、個人情報を取り扱う携帯電話機の機能に容易にアクセスするのが困難になり、第三者により不正操作を防止することが可能になる。
【発明を実施するための最良の形態】
【００２４】
以下、本発明の実施の形態について図面を参照して説明する。
図１は携帯電話端末のキーアサイン変更システムの概略構成を示す図である。本図に示すように、キーアサイン変更システムは携帯電話端末の入力部１００、制御部１１０及び不揮発メモリ１２０で構成され、プログラム制御で動作し、キーアサイン変更システムの説明では本発明を特化した部分のみを記述し、他の一般的な携帯電話端末については記述しない。
【００２５】
入力部１００にはキー入力部１０１が設けられ、キー入力部１０１は携帯電話機のテンキー、機能キーであり、ユーザの入力によりキーアサイン情報のキー入力、パスワードを入力する。
制御部１１０にはキー入力処理部１１１、パスワード処理部１１２、キーアサイン変更処理部１１３が設けられる。
【００２６】
ここに、キー入力処理部１１１はキー入力部１０１に接続され、キー入力部１０１からキー情報を供給され、供給されたキー情報からキーアサイン情報のキー入力、パスワードを識別する。
なお、キーアサイン情報は、例えば、アルファベットの「Ｆ」を先頭文字として有し、パスワード情報は、例えば、４桁の数字であるので、この情報の性質の相違から、キーアサイン情報、パスワード情報の識別が行われる。
【００２７】
さらに、パスワード処理部１１２はキー入力処理部１１１で識別されたパスワード情報に対して、パスワードの照合、パスワードの変更を行う。
さらに、キーアサイン変更処理部１１３はキー入力処理部１１１で識別されたキーアサイン情報のうち、パスワードの入力が必要であるキーアサイン情報のキー入力の変更を行う。
【００２８】
不揮発メモリ１２０にはパスワードデータ保持部１２１、キーアサインデータ保持部１２２、パスワード変更フラグ保持部１２３が設けられる。
ここに、パスワードデータ保持部１２１はパスワードを保持し、パスワード処理部１１２にパスワード照合時にパスワードを提供し、パスワード処理部１１２が変更したパスワードを保持する。
【００２９】
さらに、キーアサインデータ保持部１２２は個人情報を取り扱う携帯電話機の種々の機能に対してキーアサイン情報を保持する。
なお、工場出荷時にはキーアサインデータ保持部１２２はデフォルトに設定され、購入後にユーザの設定により変更可能にしてある。
例えば、キーアサインデータ保持部１２２は、「ダイヤル操作禁止」の機能に対して、キーアサイン情報のキー入力「Ｆ××」をデフォルトとし、「シークレットメモリ」の機能に対して、キーアサイン情報のキー入力「Ｆ△△」をデフォルトとし、「パスワード変更」の機能に対して、キーアサイン情報のキー入力「Ｆ△×」をデフォルトとし、「キー入力変更」の機能に対して、キーアサイン情報のキー入力「ＦＹＹ」をデフォルトとして設定される。
【００３０】
さらに、パスワード変更フラグ保持部１２３は、キーアサインデータ保持部１２２に保持されるキーアサイン情報で、パスワード入力を必要とするキーアサイン情報に対してパスワード変更の要否情報をＯＮ／ＯＦＦのフラグとして入力し保持し、パスワード変更が必要である場合にはキーアサイン情報のキー入力の変更時にパスワードの変更要求を行う。
【００３１】
なお、工場出荷時にはパスワード変更フラグ保持部１２３はＯＦＦのフラグに設定され、購入後にユーザの設定によりＯＮのフラグに変更可能にしてある。
図２は図１におけるキーアサインデータ保持部１２２が保持するキーアサイン情報、パスワード変更フラグ保持部１２３が保持するパスワード変更の要求情報を説明する図である。
【００３２】
本図に示すように、図５と比較して、キーアサイン情報のキー入力「ＦＹＹ」に対して割り当てられる「キー入力変更」の機能が追加される。なお、キーアサイン情報の「キー入力変更」の機能の実行にはパスワード入力が必要である。
「キー入力変更」の機能では、パスワード入力を必要とする機能に対して、キー入力の変更を可能にする。
【００３３】
例えば、「ダイヤル操作禁止」の機能に対して、キーアサイン情報のキー入力「Ｆ××」からキーアサイン情報の変更後のキー入力「Ｆ０１１」に変更し；「シークレットメモリ」の機能に対して、キーアサイン情報のキー入力「Ｆ△△」から変更後のキー入力「Ｆ０１２」に変更し；「パスワード変更」の機能に対して、キーアサイン情報のキー入力「Ｆ△×」から変更後のキー入力「Ｆ０１３」に変更し；「キー入力変更」の機能に対して、キーアサイン情報のキー入力「ＦＹＹ」から変更後のキー入力「Ｆ０１４」に変更する。
【００３４】
さらに、「キー入力変更」の機能では、パスワード入力を必要とする全ての機能に対してではなく一部の機能に対しても、キー入力の変更が可能になるようにしてもよい。
この場合、キーアサイン情報の変更後のキー入力に使用されるキーの先頭文字がアルファベットであるキーであれば、先頭文字に続くキーは英数キー、機能キー（電源キーを含む）を含んでもよく、また、キーアサイン情報の変更後のキー入力のキーの桁数は任意である。
【００３５】
また、キーアサイン情報の変更後のキー入力をさらに変更することも可能である。
キーアサイン情報の変更後のキー入力の構成では、含まれる１つのキーと他の１つのキーの入れ替えるようにしてもよい。この場合、変更後のキー入力が他のキー入力と同一にならないようにする。以下同様である。
さらに、キーアサイン情報の変更後のキー入力の構成では、含まれる１つのキーと連続した複数のキーの置き換えが可能にしてもよい。
【００３６】
さらに、キーアサイン情報の変更後のキー入力の構成では、含まれる連続した複数のキーを１つのキーに置き換えを可能にしてもよい。
キーアサインデータ保持部１２２では、パスワード変更の要否情報はフラグのＯＮ／ＯＦＦで保持され、パスワード入力が必要である全て機能に対して一括としてフラグＯＮ、フラグＯＦＦのいずれかが設定される。
【００３７】
このフラグＯＮ設定の場合、パスワード入力が必要である機能の１つのキーアサイン情報の入力キーに変更があった場合にはパスワードの変更が要求される。パスワード入力が必要である他の機能の実行時には変更後のパスワードでの照合が要求される。
このフラグＯＦＦ設定の場合、パスワード入力が必要である機能の１つのキーアサイン情報の入力キーに変更があった場合にはパスワードの変更が要求されない。
【００３８】
さらに、パスワード入力が必要である機能の個々にフラグＯＮ、フラグＯＦＦのいずれかが設定されるようにしてもよい。
このフラグＯＮ設定の場合、パスワード入力が必要である機能の１つのキーアサイン情報の入力キーに変更があった場合にはパスワードの変更が要求される。フラグＯＦＦ設定であり、パスワード入力が必要である他の機能の実行時には変更後のパスワードでの照合が要求される。
【００３９】
図３は図１におけるキーアサイン変更システムの一連動作例を説明するフローチャートである。
本図に示すように、ステップ２１１において、キー入力部１０１では、「キー入力変更」の機能に対するキーアサイン情報のキー入力「ＦＹＹ」（図２参照）が行われる。
ステップ２１２において、キー入力処理部１１１では、キー入力「ＦＹＹ」の入力に対して、キーアサイン情報のキー入力と判断し、パスワード入力画面を表示する。キー入力部１０１では、パスワードが、例えば、「１２３４」と入力される。キー入力処理部１１１では「１２３４」の入力に対してパスワード情報のキー入力と判断する。
【００４０】
ステップ２１３において、パスワード処理部１１２はパスワード情報のキー入力に対して、パスワードデータ保持部１２１の保存されているパスワードを読み出して照合を行う。照合が一致しない場合には処理を終了する。
ステップ２１４において、パスワード照合が一致する場合には、キー入力の変更画面を表示し、パスワード入力を必要とするキーアサイン情報のキー入力の変更を要求する。
【００４１】
前述のように、「ダイヤル操作禁止」の機能に対して、キーアサイン情報のキー入力「Ｆ××」データから「Ｆ０１１」データに変更し；「シークレットメモリ」の機能に対して、キーアサイン情報のキー入力「Ｆ△△」データから「Ｆ０１２」データに変更し；「パスワード変更」の機能に対して、キーアサイン情報のキー入力「Ｆ△×」データから「Ｆ０１３」データに変更し；「キー入力変更」の機能に対して、キーアサイン情報のキー入力「ＦＹＹ」データから「Ｆ０１４」データに変更する。
【００４２】
この場合、キーアサイン情報の変更後のキー入力に対しては、「＊＊＊＊」のように表示され、エコーバックに対してパスワードが第三者に見られないように表示される。
ステップ２１５において、キーアサイン情報の変更後のキー入力はキーアサイン変更処理部１１３からキーアサインデータ保持部１２２に保持される。
このようにして、キーアサイン情報の変更が可能になる。
【００４３】
ステップ２１６において、キーアサイン情報の変更のキー入力に対して、パスワード変更フラグ保持部１２３を参照して、パスワード変更の要求の有無を判断する。要求が無い場合には処理を終了する。
ステップ２１７において、パスワード変更の要求がある場合には「パスワード変更」の機能に対するキーアサイン情報の変更後のキー入力「Ｆ０１４」の入力を行う。
【００４４】
ステップ２１８において、パスワード入力画面を表示し、パスワードの入力を要求する。
ステップ２１９において、パスワードの入力が、例えば、「１２３４」と行われたら、照合し、一致しない場合には処理を終了する。
ステップ２２０において、パスワードの入力が一致した場合、パスワードの変更を要求する。なお、パスワードの入力が、例えば、「４３２１」と入力されたら、前述のように、「＊＊＊＊」のように表示され、エコーバックに対してパスワードが第三者に見られないように表示される。
【００４５】
ステップ２２１において、変更後のパスワードはパスワードデータ保持部１２１に保持され、処理を終了する。
なお、ステップ２２１において、パスワードを第三者に知られていないと確信する場合には、パスワードを変更せず、現在有効なパスワードを入力して本処理を終了することも可能である。
【００４６】
なお、上記のステップ２１８、２１９の処理はステップ２１２、２１３と同様の処理であるので、省略してもよい、さらに、上記のステップ２１７を省略して、直接にステップ２２１に進んでもよい。
このようにして、キーアサイン情報のキー入力の変更後のパスワードの変更が可能になる。
【００４７】
したがって、本発明によれば、キーアサイン情報の入力キーを変更可能にしたので、何らかの原因でパスワードを第三者に知られても、キーアサイン情報の入力キーが変更されており、通常のキーアサイン情報のキー入力とは異なっているので、個人情報を取り扱う携帯電話機の機能に容易にアクセスするのを防止することが可能になる。
この場合、キーアサイン情報の入力キーがユーザにより変更できるので、ユーザの覚えやすい入力キーを選択することが可能となる。
【００４８】
さらに、キーアサイン情報の入力キーの変更と連動してパスワードの変更を行うようにしてので、パスワードが知られる可能性が低下し、セキュリティが向上し、さらに、個人情報を取り扱う携帯電話機の機能に容易にアクセスするのが困難になり、第三者により不正操作を防止することが可能になる。
【実施例１】
【００４９】
図１のパスワード変更フラグ保持部１２３では、パスワードの変更の要否情報は入力され、図３のステップ２１６において、パスワード変更の要求がある場合には、キーアサイン情報のキー入力の変更毎にパスワードの変更を行うことになる。しかし、パスワードの変更の頻度が多く煩雑で、パスワードの変更の頻度を下げても問題無い場合には、パスワード変更フラグ保持部１２３に保持するパスワードの変更の要否情報に対して、パスワードの変更後、パスワードの変更に対して不要とするＯＦＦのフラグにし、ＯＦＦのフラグとしてから一定期間経過後にパスワードの変更に対してＯＮのフラグとしパスワードの変更を必要となるようにしてもよい。この場合、一定期間はユーザにより設定可能とする。これにより、パスワードの変更の煩雑を回避することが可能である。
【実施例２】
【００５０】
図４は図１の変形例であり、携帯電話端末のキーアサイン変更システムの概略構成を示す図である。本図に示すように、図１と比較して、キーアサイン変更フラグ保持部１２４が設けられ、キーアサイン変更フラグ保持部１２４はキーアサイン情報の入力キーの変更の要否情報をＯＮ／ＯＦＦのフラグとして入力し保持し、キーアサイン情報の入力キー変更後、キーアサイン情報の入力キーの変更に対して不要とするＯＦＦのフラグにし、ＯＦＦのフラグとしてから一定期間経過後にキーアサイン情報の入力キーの変更に対してＯＮのフラグとしキーアサイン情報の入力キーの変更を必要となるようにしてもよい。この場合、一定期間はユーザにより設定可能とする。これにより、キーアサイン情報の入力キー変更を忘れてしまうのを防止することが可能になる。
【００５１】
また、定期的にキーアサインを変更するので、キーアサイン情報のキー入力が第三者に知られても、キーアサイン情報のキー入力に対する機能のセキュリティが向上する。
【産業上の利用可能性】
【００５２】
以上、携帯電話機について説明を行ったが、これに限らず、ＰＤＡ（携帯情報端末）、ＰＨＳ（簡易携帯電話機）にも本発明の利用は可能である。
【図面の簡単な説明】
【００５３】
【図１】携帯電話端末のキーアサイン変更システムの概略構成を示す図である。
【図２】図１におけるキーアサインデータ保持部１２２が保持するキーアサイン情報、パスワード変更フラグ保持部１２３が保持するパスワード変更の要求情報を説明する図である。
【図３】図１におけるキーアサイン変更システムの一連動作例を説明するフローチャートである。
【図４】図１の変形例であり、携帯電話端末のキーアサイン変更システムの概略構成を示す図である。
【図５】本発明の前提となる携帯電話機のキーアサイン機能を説明する図である。
【図６】図５でパスワードの入力が必要となるキーアサイン機能の動作を説明する図である。
【符号の説明】
【００５４】
１００…入力部
１０１…キー入力部
１１０…制御部
１１１…キー入力処理部
１１２…パスワード処理部
１１３…キーアサイン変更処理部
１２０…不揮発メモリ
１２１…パスワードデータ保持部
１２２…キーアサインデータ保持部
１２３…パスワード変更フラグ保持部
１２４…キーアサイン変更フラグ保持部
【図１】
2006323630.tif 000003
【図２】
2006323630.tif 000004
【図３】
2006323630.tif 000005
【図４】
2006323630.tif 000006
【図５】
2006323630.tif 000007
【図６】
2006323630.tif 000008